(57)【特許請求の範囲】
【請求項１】
ミシン機枠に上下動可能に支持され、下方に向けて付勢される押え棒と、
この押え棒への付勢力を変更可能な変更部材と、
前記押え棒先端側に固定される押え足と、
この押え足に中央部を回動可能に連結される押えと、
前記押え足に装着され、その一端側が前記押え先端側を付勢する弾性部材とを備え、押えと押え足が着脱可能なミシンの押え調節装置において、
前記押え調節装置は前記押え足と押えとの連結部より後ろ側に配置され、前記押えに移動可能に支持されると共に、移動により前記押え足に接触し、前記押えの先端を上昇させる調節部材を備え、
前記押え足と調節部材とが接触する、該当接面は少なくとも一方に、傾斜面を備え、
前記調節部材を前記押え足から離れている初期位置と前記押え足に接触する設定位置のいずれか一方の位置に停止させる停止部材を備え、
前記調節部材は、
前記押えに設けられた支軸に回動可能に支持されると共に前記押えに固定される固定部材により固定される調節板と、
前記支軸に回動可能に支持されると共に前記押え足に接触可能な当接面を備えるレバーとから構成され、
前記固定部材による前記調節板の固定位置を調節することにより前記調節部材の設定位置を変更可能であることを特徴とするミシンの押え調節装置。
【発明の詳細な説明】
【０００１】
【発明の属する技術分野】
本発明はミシンの押え調節装置に関する。
【０００２】
【従来の技術】
従来のミシンの押え調節装置の構成例を図１２に基づいて説明する。図において押え４は、針板２及び送り歯３の上方に配置され、図示しない布に下向きの圧力（押え圧）を加えて該布を押えるためのものである。押え調節装置は、この押え４による押え圧を調節するための機構である。この押え調節装置は、ミシン機枠１の押え棒取り付け部１ａにほぼ上下方向に摺動可能に支持された押え棒７と、前記押え棒先端側に固定される押え足６と、この押え足６に中央の連結部４ａの回りを回動可能に支持される押え４と、前記押え足に装着され、その一端側が前記押え先端側を付勢する前押え足ばね（弾性部材）５と、を備えている。
【０００３】
押え棒取り付け部１ａの上方には押え圧調節台１５が押え圧調節台止めネジ１３により取り付けられている。この押え圧調節台１５に押え圧調節腕１６が押え圧調節腕軸１９を介して回動可能に取り付けられている。押え圧調節台１５には、さらに押え圧調節つまみ１７が回動可能に取り付けられている。
【０００４】
押え圧調節つまみ１７には押え圧調節カム１８が固定され、押え圧調節腕１６には凸部１６ａが設けられ、これら押え圧調節カム１８と凸部１６ａは常に接しており、押え圧調節つまみ１７を回動するとカムの形状に沿って押え圧調節腕１６が押え圧調節腕軸１９を支点として上下に回動する構成となっている。
【０００５】
押え棒７の中央部には押え棒抱き８が固定されていて、この押え棒抱き８と押え圧調節台止めネジ１３の間に押えばね１２が、押え圧調節台止めネジ１３と押え圧調節腕１６の間には押え圧調節バネ１４が、それぞれ押え棒７に通されて配置されている。
【０００６】
ミシン機枠１に固定された押え上げレバー取り付け台９に押え上げレバー１０が押え上げレバー軸１１を介して回動可能に取り付けられている。この押え上げレバー１０は押え棒抱き８と常に接しており、押え上げレバー１０を回動させることにより押え棒７及び押え４が上下する。
【０００７】
押え圧調節つまみ１７を回動すると押え圧調節腕１６が押え圧調節腕軸１９を支点として上下に回動する。これにより、押え圧調節バネ１４のバネ圧を調節できる。縫製時、布の縫いずれが起こったときは、押え圧調節つまみ１７を回転させ、押え圧を変化することにより対応している。
【０００８】
【発明が解決しようとする課題】
しかしながら、従来のミシンの押え調節装置は、押え４が押え足６に回動可能に連結され、押え足６に取り付けられた前押え足ばね５が押え４の先端に圧を加えているので、押え圧調節つまみ１７により押え圧を調節しても押え棒７との連結部４ａ付近の押え４の押え圧は変化するが、押え４先端の押え圧は前押え足ばね５によりほぼ一定に保たれている。このため、押え４先端の押え圧が大きいことによる縫いずれが発生したときの対応ができなかった。
本発明の目的は、押え先端の押え圧を調節可能なミシンの押え調節装置を提供することにある。
【０００９】
【課題を解決するための手段】
上記目的を達成するため本発明によれば、
「ミシン機枠に上下動可能に支持され、下方に向けて付勢される押え棒と、この押え棒の付勢力を変更可能な変更部材と、前記押え棒先端側に固定される押え足と、この押え足に中央部を回動可能に連結される押えと、前記押え足に装着され、その一端側が前記押え先端側を付勢する弾性部材とを備え、押えと押え足が着脱可能なミシンの押え調節装置において、前記押え調節装置は前記押え足と押えとの連結部より後ろ側に配置され、前記押えに移動可能に支持されると共に、移動により前記押え足に接触し、前記押えの先端を上昇させる調節部材を備え、前記押え足と調節部材とが接触する、該当接面は少なくとも一方に、傾斜面を備え、前記調節部材を前記押え足から離れている初期位置と前記押え足に接触する設定位置のいずれか一方の位置に停止させる停止部材を備え、前記調節部材は、
前記押えに設けられた支軸に回動可能に支持されると共に前記押えに固定される固定部材により固定される調節板と、前記支軸に回動可能に支持されると共に前記押え足に接触可能な当接面を備えるレバーとから構成され、前記固定部材による前記調節板の固定位置を調節することにより前記調節部材の設定位置を変更可能であることを特徴とするミシンの押え調節装置。」を備えることを特徴とするミシンの押え調節装置が提供される。
【００１２】
【発明の実施の形態】
以下、図面に基づいて本発明によるミシンの押え調節装置の実施の形態を説明する。
【００１３】
図１〜図９は本発明の第１の実施の形態を示す。この実施の形態のミシンの押え調節装置は図１２に示した従来例の構成をほぼ全て備えている。先ず、従来例と同一又は類似の構成のうち本発明に関わるものについて図７を参照して簡単に説明すると、このミシンの押え調節装置はミシン機枠１に上下動可能に支持され、下方に向けて付勢される押え棒７と、この押え棒７への付勢力を変更可能な変更部材１４，１６〜１８と、押え棒７先端側に固定される押え足３６と、この押え足３６に中央部の連結部３４ａを回動可能に連結される押え３４と、押え足３６に装着され、その一端側が押え３４先端側を付勢する弾性部材５と、を備える。その他の同一の要素又は部品については図１２と同じ参照番号（１〜１９）を付し、その説明を省略する。
【００１４】
本実施の形態においては、押え３４と押え足３６の連結部３４ａより後ろ側において調節板（リフトレバー調節板）２２が止めネジ（固定部材）２１により固定されている。このリフトレバー調節板２２の上にリフトレバー軸（支軸）２４によりリフトレバー２３が回動可能なように取り付けられている。このリフトレバー軸２４は図６（Ａ）に示すように押え３４に固定される段ネジであり、このリフトレバー軸２４にリフトレバー調節板２２及びリフトレバー２３が回動可能に遊嵌される。
【００１５】
リフトレバー２３には穴２３ａが設けられ、この穴２３ａ内にリフトレバー固定バネ２５が内蔵されている。このリフトレバー固定バネ２５の先端にはリフトレバー固定球２６が固定されている。リフトレバー調節板２２及びリフトレバー２３は調節部材を構成する。
【００１６】
図６（Ｂ）に示すように、リフトレバー調節板２２には２つの穴２２ａ，２２ｂが開いている。これらの穴２２ａ，２２ｂはいずれもリフトレバー固定球２６がほぼ半分入る大きさであり、リフトレバー固定バネ２５により下方に付勢されるリフトレバー固定球２６が２つの穴２２ａ，２２ｂのいずれか一方に入り込むことにより、リフトレバー２３がその位置で保持される。
【００１７】
また、リフトレバー２３と押え足３６には、それぞれ傾斜部２３ｂ，３６ａが設けられており、リフトレバー固定球２６が穴２２ａに入っている時は、傾斜部２３ｂの当接面２３ｃと傾斜部３６ａの被当接面３６ｂが接触しない初期位置となっている。また、リフトレバー固定球２６が穴２２ｂに入っているときは、傾斜部２３ｂの当接面２３ｃ（図８参照）と，傾斜部３６ａの当接面３６ｂが接触する設定位置となっている。穴２２ａ，２２ｂ、リフトレバー固定バネ２５、リフトレバー固定球２６はリフトレバー２３を初期位置と設定位置に停止させる停止部材を構成する。
【００１８】
次に、以上の構成を有するミシンの押え調節装置の動作を説明する。通常の状態（初期位置）では図８（Ａ）に示すように、押え３４の平面部３４ｂは全て針板２と接触しており、同図（Ｂ）に示すようにリフトレバー２３の傾斜部２３ｂと押え足３６の傾斜部３６ａは接触していない。
【００１９】
縫いずれが発生し、これに対応するために押え３４先端の押え圧を小さくしたいときは、リフトレバー２３を図２、図４の反時計方向に回動させ、図９（Ｂ）に示すようにリフトレバー２３の傾斜部２３ｂを押え足３６の傾斜部３６ａに接触させると、図９（Ａ）に示すように押え３４と押え足３６の連結部３４ａを支点に押え３４が回動し、その先端が上昇するので、針板２との間に隙間ができ、押え３４先端の押え圧が小さくなる。これにより、縫いずれを解消することができ、美しい縫製をすることができる。
【００２０】
また、図６（Ｂ）に示すようにリフトレバー調節板２２の止めネジ２１用の穴２２ｃは長穴となっており、止めネジ２１を緩め、長穴２２ｃの範囲内でリフトレバー軸２４を中心としてリフトレバー調節板２２を回動して止めネジ２１で固定し直すことによりその固定位置を調節することが可能となっている。このようにリフトレバー調節板２２の固定位置を調節すると傾斜部２３ｂ，３６ａの接触位置が移動するので、押え３４先端の上昇量が変化し、これにより押え３４先端の押え圧を調節することができる。
【００２１】
本実施の形態においては、傾斜部２３ｂ，３６ａの傾斜を用いて押え３４の先端の上昇量を調節しているので、押え圧を容易に調節可能である。
【００２２】
次に図１０に基づいて本発明の第２の実施の形態を説明する。この実施の形態のミシンの押え調節装置は押え４４にネジ孔４７を形成した凸部４８を設け、このネジ孔４７にリフトネジ４９を入れる。押え足４６にはテーパ孔５０を形成する。リフトネジ４９は調節部材を構成する。
【００２３】
通常の状態ではリフトネジ４９はテーパ孔５０に入っていない（初期位置）。このため図８（Ａ）に示したのと同様に押え４４の平面部は針板２に密着した状態である。この状態で縫製をして縫いずれが発生し、これに対応するため押え４４の先端を上げたいときは、リフトネジ４９を回してテーパ孔５０に入れて該テーパ孔５０の被当接面５０ａに接触させる（設定位置）。すると図９（Ａ）に示したのと同様に押え４４と押え足４６の連結部４４ａを支点に押え４４が回動し、その先端が上昇するので、針板２との間に隙間ができ、押え４４先端の押え圧が小さくなる。これにより、縫いずれを解消することができ、美しい縫製をすることができる。
【００２４】
次に図１１に基づいて本発明の第３の実施の形態を説明する。この実施の形態のミシンの押え調節装置は押え５４に傾斜した当接面５５ａを備えたスライドレバー５５をスライド可能に取り付け、このスライドレバー５５をスライドさせると、当接面５５ａを押え足５６の傾斜した被当接面５６ａに接触可能な構成としたものである。スライドレバー５５は調節部材を構成する。
【００２５】
通常の状態ではスライドレバー５５の当接面５５ａは押え足５６の被当接面５６ａに接触していない（初期位置）。このため図８（Ａ）に示したのと同様に押え５４の平面部は針板２に密着した状態である。この状態で縫製をして縫いずれが発生し、これに対応するため押え５４の先端を上げたいときは、スライドレバー５５をスライドさせて当接面５５ａを被当接面５６ａに接触させる（設定位置）。すると図９（Ａ）に示したのと同様に押え５４と押え足５６の連結部５４ａを支点に押え５４が回動し、その先端が上昇するので、針板２との間に隙間ができ、押え５４先端の押え圧が小さくなる。これにより、縫いずれを解消することができ、美しい縫製をすることができる。
【００２６】
以上の第１〜第３の実施の形態においてはいずれもワンタッチで交換可能な押え３４，４４，５４側に調節部材２３，４９，５５を付加しているので、押え３４，４４，５４を交換した場合でも押え圧調節つまみ１７の調整値、すなわち押え棒７への付勢力を変更可能な変更部材１４，１６〜１８による付勢力は変化しない。
【００２７】
以上、本発明のミシンの押え調節装置を第１〜第３の実施の形態に基づいて説明したが本発明はこれらの実施の形態には限定されず種々変更可能である。
【００２８】
例えば、第１の実施の形態においては、リフトレバー２３の傾斜部２３ｂの当接面２３ｃと押え足３６の傾斜部３６ａの被当接面３６ｂのいずれもが傾斜している例を示したが、いずれか一方のみが傾斜する構成でもよい。同様に、第３の実施の形態においては、スライドレバー５５の当接面５５ａと押え足５６の被当接面５６ａのいずれもが傾斜している例を示したが、いずれか一方のみが傾斜する構成でもよい。
【００２９】
また、第２の実施の形態において、リフトネジ４９に代えてテーパ孔５０内に進退可能なピンを用いてもよい。
【００３０】
【発明の効果】
本発明によれば、ミシン機枠に上下動可能に支持され、下方に向けて付勢される押え棒と、この押え棒への付勢力を変更可能な変更部材と、前記押え棒先端側に固定される押え足と、この押え足に中央部を回動可能に連結される押えと、前記押え足に装着され、その一端側が前記押え先端側を付勢する弾性部材とを備え、押えと押え足が着脱可能なミシンの押え調節装置において、
前記押え調節装置は前記押え足と押えとの連結部より後ろ側に配置され、前記押えに移動可能に支持されると共に、移動により前記押え足に接触し、前記押えの先端を上昇させる調節部材を備え、前記押え足と調節部材とが接触する、該当接面は少なくとも一方に、傾斜面を備え、前記調節部材を前記押え足から離れている初期位置と前記押え足に接触する設定位置のいずれか一方の位置に停止させる停止部材を備え、前記調節部材は、
前記押えに設けられた支軸に回動可能に支持されると共に前記押えに固定される固定部材により固定される調節板と、前記支軸に回動可能に支持されると共に前記押え足に接触可能な当接面を備えるレバーとから構成され、前記固定部材による前記調節板の固定位置を調節することにより前記調節部材の設定位置を変更可能であることを特徴とするミシンの押え調節装置を提供する事ができる。
このようにリフトレバー調節板２２の固定位置を調節すると傾斜部２３ｂ，３６ａの接触位置が移動するので、押え３４先端の上昇量が変化し、これにより押え３４先端の押え圧を調節することができる。
またワンタッチで交換可能な押え側に調節部材を付加しているので、押えを交換した場合でも押え圧調節つまみの調整値、すなわち押え棒への付勢力を変更可能な変更部材による付勢力は変化しない。
【図面の簡単な説明】
【図１】  本発明によるミシンの押え調節装置の第１の実施の形態の斜視図である。
【図２】  第１の実施の形態の平面図である。
【図３】  第１の実施の形態の側面図である。
【図４】  第１の実施の形態の要部の平面図である。
【図５】  第１の実施の形態の要部の側面図である。
【図６】  （Ａ）は図４のＸ−Ｘ断面図、（Ｂ）はリフトレバー調整板の平面図である。
【図７】  第１の実施の形態の全体構成を示す一部断面図である。
【図８】  第１の実施の形態のリフトレバーが初期位置のときの状態を示し、（Ａ）は側面図、（Ｂ）はリフトレバーの当接面と押え足の被当接面である。
【図９】  第１の実施の形態の設定位置びリフトレバーが初期位置のときの状態を示し、（Ａ）は側面図、（Ｂ）はリフトレバーの当接面と押え足の被当接面である。
【図１０】  本発明によるミシンの押え調節装置の第２の実施の形態を示し、（Ａ）は斜視図、（Ｂ）は断面図である。
【図１１】  本発明によるミシンの押え調節装置の第３の実施の形態の斜視図である。
【図１２】  従来例によるミシンの押え調節装置の全体構成を示す一部断面図である。
【符号の説明】
１  ミシン機枠
５  前押え足ばね（弾性部材）
７  押え棒
１４，１６〜１８  変更部材
２１  止めネジ（固定部材）
２２  リフトレバー調節板（調節板）
２２ａ，２２ｂ，２６  停止部材
２３  リフトレバー（レバー）
２３ｃ，５５ａ  当接面
２４  リフトレバー軸（支軸）
３４，４４，５４  押え
３４ａ，４４ａ，５４ａ  連結部
３６，４６，５６  押え足
３６ｂ，５０ａ，５６ａ  被当接面
４９  リフトネジ（調節部材）
５５  スライドレバー（調節部材）
【図１】
0003866096.tif 000002
【図２】
0003866096.tif 000003
【図３】
0003866096.tif 000004
【図４】
0003866096.tif 000005
【図５】
0003866096.tif 000006
【図６】
0003866096.tif 000007
【図７】
0003866096.tif 000008
【図８】
0003866096.tif 000009
【図９】
0003866096.tif 000010
【図１０】
0003866096.tif 000011
【図１１】
0003866096.tif 000012
【図１２】
0003866096.tif 000013